【手続補正書】
【提出日】平成18年8月11日(2006.8.11)
【手続補正１】
【補正対象書類名】特許請求の範囲
【補正対象項目名】全文
【補正方法】変更
【補正の内容】
【特許請求の範囲】
【請求項１】
（ｉ）少なくとも１のベース溶媒、少なくとも１の導電性強化剤、及び任意で少なくとも１の導電性抑制剤を含有する少なくとも１の低導電性有機溶媒バッファ；
（ｉｉ）高い蛋白質結合能力を有する高分子膜であり、該膜は少なくとも１の低導電性有機溶媒バッファと適合性がある膜；並びに
（ｉｉｉ）バッファ及び膜を備えた少なくとも１の電気泳動ユニット、並びに上記少なくとも１の電気泳動ユニット中の電流を発生可能な電力供給源を有する電気泳動装置、
を備えた蛋白質の分離用電気泳動システム。
【請求項２】
上記少なくとも１のベース溶媒は低導電性有機溶媒バッファ中に終末濃度１％〜８０％で存在する請求項１の電気泳動システム。
【請求項３】
上記少なくとも１のベース溶媒は低導電性有機溶媒バッファ中に終末濃度２０％〜５０％で存在する請求項１の電気泳動システム。
【請求項４】
上記少なくとも１のベース溶媒はプロピレンカーボネート；エチレンサイクリックカーボネート；ジメチルフタレート；ジエチルフタレート；エチレングリコール；プロピレングリコール；ブチレングリコール；ジメチルスルホキシド；メチルカルビトール；及びそれらの混合物の群から選ばれた請求項１の電気泳動システム。
【請求項５】
上記少なくとも１の導電性強化剤は低導電性有機溶媒バッファ中に終末濃度０．１％〜５０％で存在する請求項１の電気泳動システム。
【請求項６】
上記少なくとも１の導電性強化剤はホルムアミド；アセトアミド；プロピオンアミド；ブチルアミド；Ｎ−メチルホルムアミド；Ｎ−メチルアセトアミド；Ｎ−メチルプロピオンアミド；Ｎ−メチルブチルアミド；ベンズアミド；トルアミド；ラクトアミド；ニコチンアミド；２−フルアルデヒド；フルフリルアルコール；テトラヒドロフルフリルアルコール；サリチルアルデヒド；グアヤコール；フェノール；ホウ酸；フマル酸；ピペラジン；及びそれらの混合物の群から選ばれた請求項１の電気泳動システム。
【請求項７】
上記低導電性有機溶媒バッファは少なくとも１の導電性抑制剤を含有する請求項１の電気泳動システム。
【請求項８】
上記少なくとも１の導電性抑制剤は低導電性有機溶媒バッファ中に終末濃度０．１％〜５０％で存在する請求項１の電気泳動システム。
【請求項９】
上記少なくとも１の導電性抑制剤はホルムアミド及びアセトアミドのジメチル誘導体；１，３−ブタンジオール；Ｎ−メチルピロリジノン；ソルビトール；グリセロール；カプロラクトン；メトキシエタノール；及びそれらの混合物の群から選ばれた請求項１の電気泳動システム。
【請求項１０】
上記少なくとも１の低導電性有機溶媒バッファはｐＨ３〜１０である請求項１の電気泳動システム。
【請求項１１】
上記膜は疎水性膜である請求項１の電気泳動システム。
【請求項１２】
上記膜は親水性膜である請求項１の電気泳動システム。
【請求項１３】
上記疎水性膜は、フッ素系高分子；ポリオレフィン；ポリスチレン又は置換されたポリスチレン；ポリスルホン；ポリエーテルスルホン；ポリエステル；ポリアクリレート；ポリカーボネート；ポリウレタン；ビニルポリマー；ポリアクリロニトリル；及びそれらの混合物の群から選ばれたポリマーからなる請求項１１の電気泳動システム。
【請求項１４】
上記フッ素系高分子はポリビニリデンジフルオライド（ＰＶＤＦ）である請求項１３の電気泳動システム。
【請求項１５】
上記親水性膜はナイロン；ポリイミド；ポリエステル；ポリビニルアルコール；ポリビニルアミン；ポリベンジルアミド；ポリビニルイミダゾリン；ポリジアリルアミン；及びそれらの混合物の群から選ばれたポリマーからなる請求項１２の電気泳動システム。
【請求項１６】
上記親水性膜はナイロンポリマーからなる請求項１５の電気泳動システム。
【請求項１７】
上記膜は０．０１ｍｍ厚み〜３ｍｍ厚みである請求項１の電気泳動システム。
【請求項１８】
上記電気泳動装置は複数個の電気泳動ユニットを備えている請求項１の電気泳動システム。
【請求項１９】
上記少なくとも１の電気泳動ユニットは水平型電気泳動ユニットである請求項１の電気泳動システム。
【請求項２０】
上記水平型電気泳動ユニットは下記を備えている請求項１９の電気泳動システム：
（ｉ）第一及び第二独立バッファ室；
（ｉｉ）第一及び第二独立バッファ室にまたがる実質的に同じ長さ及び幅の上板及び底板、
但し膜は上板及び底板の間にサンドイッチされており；並びに
（ｉｉｉ）第一及び第二末端を有するウィックは底板及び膜の間に配置され、ウィックは第一及び第二ウィック末端が延長してそれぞれ第一及び第二独立バッファ室内へ達するほど上板及び底板よりも長い。
【請求項２１】
下記ステップを有する蛋白質の電気泳動分離法：
（１）少なくとも１のベース溶媒、少なくとも１の導電性強化剤、及び任意で少なくとも１の導電性抑制剤を含有する少なくとも１の低導電性有機溶媒バッファを用意するステップ；
（２）高い蛋白質結合能力を有する高分子膜であり、該膜は少なくとも１の低導電性有機溶媒バッファと適合性がある膜を用意するステップ；
（３）膜で分離される蛋白質を含有する少なくとも１のサンプルを適用するステップ；並びに
（４）電気泳動による蛋白質の分離ステップ。
【請求項２２】
上記蛋白質は一次元方向に分離される請求項２１の方法。
【請求項２３】
上記蛋白質は一次元方向に分離され、次に二次元方向に分離される請求項２１の方法。
【請求項２４】
上記電気泳動は非変性条件下で行われる請求項２１の方法。
【請求項２５】
更に分離された蛋白質を少なくとも１の抗体で検出するステップを含有する請求項２１の方法。
【請求項２６】
上記電気泳動ユニット中で発生する電流は０．０００１ｍＡ／ｃｍ2膜〜０．２ｍＡ／ｃｍ2膜である請求項２１の方法。
【請求項２７】
上記電気泳動ユニットは水平型電気泳動ユニットである請求項２１の方法。
【請求項２８】
下記ステップを有する蛋白質の二次元電気泳動分離方法：
（１）下記を含む電気泳動システム調製ステップ：
（ｉ）第一ｐＨを有する第一低導電性有機溶媒バッファ及び第二ｐＨを有する第二低導電性有機溶媒バッファ；
（ｉｉ）高い蛋白質結合能力を有し、第一及び第二有機溶媒バッファと適合性がある膜；並びに
（ｉｉｉ）第一及び第二有機溶媒バッファ及び膜を備えるための少なくとも１の電気泳動ユニットを含有する電気泳動装置；
（２）分離される蛋白質を有する少なくとも１のサンプルを膜へ適用するステップ；
（３）膜及び少なくとも１の電気泳動ユニット中の第一有機溶媒バッファを配置するステップ、但し、膜は第一方位方向に配置される；
（４）少なくとも１の電気泳動ユニット中で電流を発生することにより一次元方向に蛋白質を分離するステップ；
（５）少なくとも１の電気泳動ユニット中の第一有機溶媒バッファの第二有機溶媒バッファで交換するステップ；
（６）膜を少なくとも１の電気泳動ユニット中に第二方位方向に配置するステップ；並びに
（７）少なくとも１の電気泳動ユニット中で電流の発生により二次元方向に蛋白質を分離するステップ。
【請求項２９】
上記第一及び第二有機溶媒バッファは同一の組成である請求項２８の方法。
【請求項３０】
上記電気泳動ユニットは水平型電気泳動ユニットである請求項２８の方法。
【請求項３１】
電気泳動装置は複数個の電気泳動ユニットを備えている請求項２８の方法。
【請求項３２】
二次元電気泳動は非変性条件で行われる請求項２８の方法。
【請求項３３】
更に分離された蛋白質を少なくとも１の抗体で検出するステップを含有する請求項２８の方法。
【請求項３４】
下記ステップを含有する蛋白質のその等電点に基づく電気泳動分離法：
（１）少なくとも１のベース溶媒、少なくとも１の導電性強化剤、及び任意で少なくとも１の導電性抑制剤を含有する少なくとも１の低導電性有機溶媒バッファを用意するステップ；
（２）高い蛋白質結合能力を有する高分子膜であり、該膜は少なくとも１の低導電性有機溶媒バッファと適合性があるものを用意するステップ；
（３）分離される蛋白質を有する少なくとも１のサンプルを膜へ適用するステップ；並びに
（４）電気泳動による蛋白質の分離ステップであり、上記電気泳動はｐＨ勾配なしに行われるステップ。
【請求項３５】
上記蛋白質は一次元で分離される請求項３４の方法。
【請求項３６】
上記蛋白質は一次元で分離され、次に二次元で分離される請求項３４の方法。
【請求項３７】
上記電気泳動は非変性条件で行われる請求項３４の方法。